(57)【要約】【課題】紙パックの紙パックホルダーへの密着及び紙パックホルダー上の空気流路の閉塞を防いで吸引性能の低下を防止し、紙パックの長寿命化を図ることができる電気掃除機を提供することを課題とする。【解決手段】電動送風機２により掃除機本体１内に吸引された空気から塵埃を除去するための集塵室３と、集塵室３内に配設され、塵埃を除去する紙パック４と、紙パック４が装着されると共に、集塵室３内に着脱自在に配設される紙パックホルダー５とを備え、紙パックホルダー５は、紙パック４の固定板１５が装着される前壁１０と、前壁１０の底部から後方に向けて延設された底壁１１と、紙パック４の閉塞を防止する閉塞防止機構を有し、閉塞防止機構は、底壁１１に形成され、紙パック４と底壁１１との間に隙間を形成する隙間形成手段を備え、隙間形成手段により形成された隙間が少なくとも底壁１１の外周の一端に連通するように構成。【選択図】         図３
2005152493.tif 000002
【特許請求の範囲】
【請求項１】
掃除機本体と、掃除機本体内に空気を吸引する電動送風機と、電動送風機により掃除機本体内に吸引された空気から塵埃を除去するための集塵室と、集塵室内に配設され、塵埃を除去する紙パックと、紙パックが装着されると共に、集塵室内に着脱自在に配設される紙パックホルダーとを備え、前記紙パックホルダーは、紙パックの固定板が装着される前壁と、前壁の底部から後方に向けて延設された底壁と、紙パックの閉塞を防止する閉塞防止機構を有し、閉塞防止機構は、底壁に形成され、紙パックと底壁との間に隙間を形成する隙間形成手段を備え、隙間形成手段により形成された隙間が少なくとも底壁の外周の一端に連通するように構成されていることを特徴とする電気掃除機。
【請求項２】
前記閉塞防止機構は、底壁から上方に向けて形成された突出部と、底壁から底壁の外周の一端にわたり下方に向けて形成された凹溝とから構成されていることを特徴とする請求項１記載の電気掃除機。
【請求項３】
前記凹溝は、底壁の後端側外周まで延設されていることを特徴とする請求項２記載の電気掃除機。
【請求項４】
前記閉塞防止機構は、底壁から底壁の外周の一端にわたり形成され、底壁から上方に向けて突出する突条により構成されていることを特徴とする請求項１記載の電気掃除機。
【請求項５】
前記突条は、底壁の後端側外周まで延設されていることを特徴とする請求項４記載の電気掃除機。
【請求項６】
前記突条の一部は、集塵室の底部に形成され、紙パックホルダーの底壁に形成された位置決め孔を貫通することにより紙パックホルダーを集塵室内に位置決めする突部により構成されていることを特徴とする請求項４または請求項５記載の電気掃除機。
【請求項７】
前記紙パックホルダーは、底壁の後端側外周に一体的に形成され、底壁に対して回動自在且つ紙パックに接する面の互いに交差するリブの高さが異なる格子部をさらに備えていることを特徴とする請求項１乃至請求項６の何れか１項に記載の電気掃除機。
【請求項８】
前記格子部は、通常状態で前記底壁と略平行状態になるように底壁と一体に形成されていることを特徴とする請求項５記載の電気掃除機。
【請求項９】
前記格子部は、紙パックホルダーが集塵室内に収納される際、集塵室内壁に当接して上方へ回動し所定の位置に配設されるように構成されていることを特徴とする請求項７または請求項８記載の電気掃除機。
【請求項１０】
前記紙パックホルダーは、上方に形成された取っ手と、取っ手の近傍に形成され、紙パックの膨らみにより紙パックが取っ手に接触することを防止するための紙パック抑えリブとを備え、前記紙パック抑えリブの少なくとも紙パックとの当接部は、軟質材料で形成されていることを特徴とする請求項１乃至請求項９の何れか１項に記載の電気掃除機。
【請求項１１】
前記軟質材料は、ゴムで構成されると共に、紙パックホルダーと一体に形成されていることを特徴とする請求項８記載の電気掃除機。
【請求項１２】
前記紙パックホルダーの上方に配設される部品収納部は、部品収納部から下方に延設する抑えリブを備え、この抑えリブは、取っ手の略中央において紙パックの膨らみにより紙パックが取っ手に接触することを防止する機能を有することを特徴とする請求項１０または請求項１１記載の電気掃除機。
【請求項１３】
前記部品収納部には、光触媒が収納されていることを特徴とする請求項１２記載の電気掃除機。
【発明の詳細な説明】
【技術分野】
【０００１】
本発明は、電気掃除機に関し、特に、掃除機本体の集塵室内部に紙パック装着用の紙パックホルダーを備えた電気掃除機に関する。
【背景技術】
【０００２】
従来、電気掃除機の集塵用の紙パックに直接手を触れることなく容易に紙パックを廃棄することできるように、紙パックを取っ手を有する紙パックホルダーに着脱自在に装着し、紙パックを装着した紙パックホルダーを掃除機本体の集塵室内に着脱自在に装着するものが知られている。そして、紙パックホルダーは、紙パックの固定板が装着される前壁と、前壁の側面から後方に向けて延設され、開口が形成された側壁と、前壁の底部から後方に向けて延設され、突起が形成された底壁とから構成されている（例えば、特許文献１参照）。
【特許文献１】特開２０００−７０１９５号公報
【発明の開示】
【発明が解決しようとする課題】
【０００３】
しかしながら、紙パック内に塵埃が堆積して紙パックが膨らむと、紙パックホルダーの側壁において、開口を介して紙パック内から紙パック外へ流れる空気により、開口近傍に紙パック内の塵埃が集中して紙パックは紙パックホルダーの側壁に密着してしまう。この結果、開口近傍に集まった紙パック内の塵埃により開口が閉塞してしまい吸引性能が低下する問題があった。
【０００４】
また、紙パック内に塵埃が堆積して紙パックが膨らむと、紙パックホルダーの底壁において、底壁の前壁近傍に形成された突起により前壁近傍では紙パックと底壁との間には隙間が形成される。しかし、突起が形成されていない底壁の後端側では紙パックは底壁に密着してしまうため、前壁近傍に形成された隙間の空気を底壁の外周に逃すことはできない。この結果、底壁に突起を形成しているのも関わらず紙パックは底壁に密着して閉塞してしまい吸引性能が低下する問題があった。
【０００５】
本発明はこのような問題を解決するものであり、紙パックの紙パックホルダーへの密着による閉塞を防いで吸引性能の低下を防止し、紙パックの長寿命化を図ることができる電気掃除機を提供することを課題とする。
【課題を解決するための手段】
【０００６】
上記課題を解決するための手段は、掃除機本体と、掃除機本体内に空気を吸引する電動送風機と、電動送風機により掃除機本体内に吸引された空気から塵埃を除去するための集塵室と、集塵室内に配設され、塵埃を除去する紙パックと、紙パックが装着されると共に、集塵室内に着脱自在に配設される紙パックホルダーとを備え、前記紙パックホルダーは、紙パックの固定板が装着される前壁と、前壁の底部から後方に向けて延設された底壁と、紙パックの閉塞を防止する閉塞防止機構を有し、閉塞防止機構は、底壁に形成され、紙パックと底壁との間に隙間を形成する隙間形成手段を備え、隙間形成手段により形成された隙間が少なくとも底壁の外周の一端に連通するように構成されていることを特徴とする。
【０００７】
上記課題を解決するための手段において、前記閉塞防止機構は、底壁から上方に向けて形成された突出部と、底壁から底壁の外周の一端にわたり下方に向けて形成された凹溝とから構成されてもよい。
【０００８】
また、前記凹溝は、底壁の後端側外周まで延設されてもよい。
【０００９】
また、前記閉塞防止機構は、底壁から底壁の外周の一端にわたり形成され、底壁から上方に向けて突出する突条により構成されてもよい。
【００１０】
また、前記突条は、底壁の後端側外周まで延設されてもよい。
【００１１】
また、前記突条の一部は、集塵室の底部に形成され、紙パックホルダーの底壁に形成された位置決め孔を貫通することにより紙パックホルダーを集塵室内に位置決めする突部により構成してもよい。
【００１２】
また、前記紙パックホルダーは、底壁の後端側外周に一体的に形成され、底壁に対して回動自在且つ紙パックに接する面の互いに交差するリブの高さが異なる格子部をさらに備えてもよい。
【００１３】
また、前記格子部は、通常状態で前記底壁と略平行状態になるように底壁と一体に形成されてもよい。
【００１４】
また、前記格子部は、紙パックホルダーが集塵室内に収納される際、集塵室内壁に当接して上方へ回動し所定の位置に配設されるように構成してもよい。
【００１５】
また、前記紙パックホルダーは、上方に形成された取っ手と、取っ手の近傍に形成され、紙パックの膨らみにより紙パックが取っ手に接触することを防止するための紙パック抑えリブとを備え、前記紙パック抑えリブの少なくとも紙パックとの当接部は、軟質材料で形成されてもよい。
【００１６】
また、前記軟質材料は、ゴムで構成されると共に、紙パックホルダーと一体に形成されてもよい。
【００１７】
また、前記紙パックホルダーの上方に配設される部品収納部は、部品収納部から下方に延設する抑えリブを備え、この抑えリブは、取っ手の略中央において紙パックの膨らみにより紙パックが取っ手に接触することを防止する機能を有してもよい。
【００１８】
また、前記部品収納部には、光触媒が収納されてもよい。
【発明の効果】
【００１９】
本発明の請求項１の構成によると、隙間形成手段により紙パックと底壁との間に隙間を形成することができると共に、隙間の空気を外壁の外周に排気することができるため、紙パックの底部が閉塞することを防止することができると共に、吸込性能の低下を防止することができ、底部を有効に利用して紙パックの長寿命化を図ることができる等の効果を奏する。
【００２０】
本発明の請求項２の構成によると、突出部により紙パックと底壁との間に隙間を形成することができると共に、凹溝により隙間の空気を外壁の外周に排気することができるため、紙パックの底部が閉塞することを防止することができると共に、吸込性能の低下を防止することができ、底部を有効に利用して紙パックの長寿命化を図ることができる等の効果を奏する。
【００２１】
本発明の請求項３の構成によると、凹溝は紙パックの流路に沿って形成されているため
、紙パック内から紙パック外へ流れる空気を円滑に流すことができ、吸込性能の低下を防止することができる等の効果を奏する。
【００２２】
本発明の請求項４の構成によると、突条により紙パックと底壁との間に隙間を形成することができると共に、隙間の空気を外壁の外周に排気することができるため、紙パックの底部が閉塞することを防止することができると共に、吸込性能の低下を防止することができ、底部を有効に利用して紙パックの長寿命化を図ることができる等の効果を奏する。
【００２３】
本発明の請求項５の構成によると、突条は紙パックの流路に沿って形成されているため、紙パック内から紙パック外へ流れる空気を円滑に流すことができ、吸込性能の低下を防止することができる等の効果を奏する。
【００２４】
本発明の請求項６の構成によると、紙パック底部の閉塞を防止する突条の一部を構成する突部を紙パックホルダーの位置決めに兼用することができ、構成を簡素化することができる等の効果を奏する。
【００２５】
本発明の請求項７の構成によると、格子部により紙パックの後端部の閉塞を防止することができるため、吸込性能の低下を防止することができると共に、紙パックの長寿命化を図ることができる等の効果を奏する。
【００２６】
本発明の請求項８の構成によると、紙パックホルダーを集塵室から取り出した際、格子部が底壁に略平行状態になるように自動的に水平方向に回動するため、紙パックを容易に廃棄することができる等の効果を奏する。
【００２７】
本発明の請求項９の構成によると、紙パックホルダーを集塵室内に収納するだけで格子部を所定の位置に配設することができ、設置作業性を向上させることができる等の効果を奏する。
【００２８】
本発明の請求項１０の構成によると、紙パック抑えリブにより、取っ手に接触するまで紙パックが膨れるのを防止することができるため、取っ手を握る際、紙パックが手に触れるのを防ぐことができ、手が不衛生になるのを防止することができると共に、紙パックを取っ手から押し退ける必要もなく、紙パックホルダーの引き出しや運搬の作業性を向上させることができる。また、紙パック抑えリブの紙パックとの当接部は軟質材料で形成されているため、紙パック抑えリブによる紙パックの破損を防止することができる等の効果を奏する。
【００２９】
本発明の請求項１１の構成によると、一体成形という簡単な構成により、紙パック抑えリブによる紙パックの破損を防止することができる等の効果を奏する。
【００３０】
本発明の請求項１２の構成によると、取っ手の略中央において紙パックの膨らみにより紙パックが取っ手に接触するのを防止することができる等の効果を奏する。
【００３１】
本発明の請求項１３の構成によると、集塵室内脱臭用の光触媒を収納する部品収納部を、取っ手の略中央において紙パックの膨らみにより紙パックが取っ手に接触するのを防止する防止手段に兼用することができ、構成を簡素化することができる等の効果を奏する。
【発明を実施するための最良の形態】
【００３２】
（第１実施形態）
本発明に係る電気掃除機の第１実施形態を図１乃至図１４に基づいて説明する。
【００３３】
電気掃除機は、掃除機本体１内に空気を吸引する電動送風機２と、電動送風機２により掃除機本体１内に吸引された空気から塵埃を集塵するための集塵室３と、集塵室３内に装着され、塵埃を集塵する紙パック４と、集塵室３内に紙パック４を収納するための紙パックホルダー５と、掃除機本体１移動用の車輪６とから構成されている（図１、図３参照）。
【００３４】
掃除機本体１の上部には、集塵室３の上方を閉塞する蓋体７が開閉自在に設けられている。掃除機本体１の下部には、掃除機本体１を床面に置いた状態で移動できるように車輪６が設けられている。掃除機本体１の前面には、吸入口８が開口されており、吸入口８に図示しないホースが接続されるようになっている。集塵室３の下流側の内壁面には、電動送風機２に連通する排気口９が形成されている（図1、図３参照）。
【００３５】
集塵室３内に着脱自在に装着される紙パックホルダー５は、略垂直な前壁１０と前壁１０の下部から水平方向に縁設された底壁１１とからなる上方及び側方が開放された略Ｌ字状に形成されている。前壁１０の略中央には、吸入口８に連通する接続口１２が形成され、接続口１２の周縁には紙パック４との気密性を保持するためのパッキン１３が配設されている。また、前壁１０の上部には、紙パックホルダー５の引き出し及び運搬のための取っ手１４及び紙パック４の固定板１５を固定するためのクランプ１６が配設されている。
【００３６】
底壁１１の略中央には、底壁１１から上方に向けて突出する突出部１９が形成されている。底壁１１の両側には、突出部１９の下流側の底壁１１から底壁１１の後端側の外周縁にわたり下方に向けて凹溝１７が形成されている。突出部１９と凹溝１７により紙パック４と底壁１１との間に隙間が形成されると共に、その隙間は底壁１１の外周の一端に連通する。凹溝１７には凹溝１７の側方に開口する開口部１８が形成されている。（図３）。
【００３７】
取っ手１４の両側には、底壁１１に対向する位置に、取っ手１４に接触するまで紙パック４が膨れるのを防止するための紙パック抑えリブ２０が左右一対形成されている。また、紙パック抑えリブ２０の紙パック４との当接部２１（図４において斜線部）は軟質材料、第１実施形態ではゴムで一体に成形されている（図４参照）。この結果、紙パック抑えリブ２０により、取っ手１４に接触するまで紙パック４が膨れるのを防止することができるため、取っ手１４を握る際、紙パック４が手に触れるのを防止することができ、手が不衛生になるのを防止することができると共に、紙パック４を取っ手１４から押し退ける必要もなく、紙パックホルダー５の引き出しや運搬の作業性を向上させることができる。また、紙パック抑えリブ２０の紙パック４との当接部２１は軟質材料で形成されているため、紙パック抑えリブ２０による紙パック４の破損を防止することができる。
【００３８】
紙パック４を紙パックホルダー５にセットする場合は、紙パック４に固着された固定板１５を溝２２とクランプ１６との間に嵌め込む。逆に紙パック４を取り出して廃棄する場合は、クランプ１６を上方へ回動させて固定板１５の嵌合を解除する（図４参照）。
【００３９】
紙パックホルダー５に装着された紙パック４内に塵埃が堆積して紙パック４が膨らんで底壁１１に接触した場合、紙パック４が底壁１１に密着して紙パック４の底部が閉塞してしまう虞がある。しかしながら、第１実施形態では、底壁１１の略中央に突出部１９を形成すると共に、底壁１１の両側に凹溝１７を形成しているため、紙パック４と紙パックホルダー５の底壁１１との間に隙間を形成することができると共に、隙間から底壁１１の外周の一端へ流れる空気流路を形成することができる。
【００４０】
この結果、紙パック４の底部の大部分にわたり、紙パック４内から紙パック４外へ流れる流路を確保することができるため、紙パック４の底部が閉塞することを防止することができ、吸込性能の低下を防止することができると共に、紙パック４の底部を有効に使用す
ることができ、紙パック４の長寿命化を図ることができる（図3参照）。また、凹溝１７は紙パック４の流路に沿って形成されているため、紙パック４内から紙パック４外へ流れる空気を円滑に流すことができ、吸込性能の低下を防止することができる。
【００４１】
電動送風機２により吸入口８を介して集塵室３内に吸引された空気は、紙パック４により除塵され、電動送風機２を通過する際に電動送風機２を冷却して掃除機本体１外に排気される。この排気風により床面の塵埃を巻き上げてしまう虞があるため、排気の風速を低下させるために掃除機本体１の後面上方に第１排気口２３と両車輪６の全周に第２排気口２４を形成している。しかしながら、車輪６は比較的床面に近いため、第２排気口２４から排気される排気の風速を低下させても床面の塵埃を巻き上げ易くなってしまう。
【００４２】
そこで、第１実施形態では、車輪６の略半分を覆うカバー２５を車輪６に対して回動自在にカバーキャップ２６により装着している。カバー２５は車輪６に対して回動自在に構成されているため、カバー２５の自重により掃除機本体１がどのような状態においても車輪６の下半分をカバー２５により覆うことができるため、第２排気口２４から排気される排気風により床面の塵埃を巻き上げることを防止することができる（図９及び図１０参照）。
【００４３】
第２排気口２４から排気される排気により床面の塵埃の巻き上げを防止する方法は、上述した形状のカバー２５に限定されるものではない。例えば、図１１に示すように、車輪６の全周を覆うカバー２５ａを車輪６に対して回動自在に装着すると共に、カバー２５ａに斜め上方に向けて開口するスリット２７を形成する。そして車輪６の下半分に位置するスリット２７を長く形成することにより、この長いスリット２７が重りとなって長いスリット２７側が常に下方に位置する。この結果、掃除機本体１がどのような状態においても排気を上方に向けて排気することができるため、第２排気口２４から排気される排気風により床面の塵埃を巻き上げることを防止することができる。
【００４４】
また、図１３に示すように、車輪６の全周を覆うカバー２５ｂを車輪６に対して回動自在に装着すると共に、カバー２５ｂに斜め上方に向けて開口する全てが同じ長さのスリット２７を形成し、カバー２５ｂの下部に重り２８を装着する構成にしても掃除機本体１がどのような状態においても排気を上方に向けて排気することができるため、上記と同様な作用効果を奏する。
【００４５】
尚、第１実施形態では、凹溝１７は底壁１１の後端側の外周縁に向けて形成したが、凹溝１７を形成する向きはこれに限定されるものではない。凹溝１７を任意の方向に向けて外周縁まで形成してもよい。
【００４６】
また、第１実施形態では、上流側に突出部１９を形成すると共に下流側に凹溝１７を形成することにより紙パック４の閉塞を防止したがこれに限定されるものではない。凹溝１７を上流側に形成すると共に、突出部１９を下流側に形成することにより紙パック４の閉塞を防止してもよい。
【００４７】
（第２実施形態）
図１５乃至図１７は、本発明に係る電気掃除機の第２実施形態を示している。尚、第１実施形態と同一部品については、同一符号を付して説明を省略する。
【００４８】
第１実施形態では、紙パックホルダー５の底壁１１に突出部１９を形成すると共に、凹溝１７を形成することにより、紙パック４の底部が閉塞することを防止した。第２実施形態では、閉塞防止機構として、紙パックホルダー５の底壁１１に、前壁１０から底壁１１の後端縁にわたり連続する突条２９を形成することにより、紙パック４の底部が閉塞する
ことを防止している。
【００４９】
第２実施形態の紙パックホルダー５ａには、前壁１０側から後側に向かって底壁１１に略楕円状の複数の位置決め孔３０が形成されていると共に、位置決め孔３０に連続して底壁１１の後端縁にわたり凸部３１が形成されている（図１５参照）。集塵室３の底部には、位置決め孔３０に挿通して位置決め孔３０に係合する突部３２が形成されている。紙パック４を装着した紙パックホルダー５ａを集塵室３内に挿入すると、集塵室３底部の突部３２により紙パックホルダー５ａは位置決めされると共に、紙パックホルダー５ａの底壁１１には、位置決め孔３０を挿通した突部３２と底壁１１に形成された凸部３１からなる前壁１０から底壁１１の後端縁にわたり連続する突条２９が形成される（図１６参照）。
【００５０】
この結果、図１７に示すように突条２９により紙パック４の底部と紙パックホルダー５ａの底壁１１との間に隙間を形成することができると共に、紙パック４の底部において隙間から底壁１１の外周の一端に流れる流路を確保することができるため、第１実施形態と同様に紙パック４の底部が閉塞することを防止することができる。また、突条２９は紙パック４の流路に沿って形成されているため、紙パック４内から紙パック４外へ流れる空気を円滑に流すことができ、吸込性能の低下を防止することができる。さらに、紙パック４底部の閉塞を防止する突条２９の一部を構成する突部３２は、紙パックホルダー５ａの位置決めに兼用することができるため構成を簡素化することができる。
【００５１】
尚、第２実施形態では、突条２９を前壁１０から底壁１１の後端部にわたって形成したが、突条２９の長さはこれに限定されるものではない。少なくとも底壁１１の後端部に突条２９が形成されていればよい。また、突条２９は後端側に向けて形成したが、これに限定されるものではなく、任意の方向に向けた突条２９を形成してもよい。
【００５２】
また、第２実施形態では、突条２９により紙パック４と底壁１１との隙間を形成すると共に、隙間から底壁１１の外周の一端へ流れる空気流路を形成することによって紙パック４の閉塞を防止したがこれに限定されるものではない。底壁１１の外周の一端に連通する凹部を底壁１１に形成することにより紙パック４と底壁１１との隙間を形成すると共に、隙間から底壁１１の外周の一端へ流れる空気流路を形成することによって紙パック４の閉塞を防止してもよい。
【００５３】
（第３実施形態）
図１８乃至図２３は、本発明に係る電気掃除機の第３実施形態を示している。尚、第１実施形態または第２実施形態と同一部品については、同一符号を付して説明を省略する。第１実施形態及び第２実施形態では、紙パック４の底部の閉塞を防止したが、第３実施形態は、紙パック４の後端部の閉塞を防止している。
【００５４】
一般的に、集塵室３と電動送風機２とを連通する側方開放の排気口９の周縁には、金型の抜き方向が上下方向になっているため、縦方向のリブしか形成することができない。この結果、この縦リブをいくら高く形成しても、背景技術において述べた紙パックホルダー５の側壁に形成された開口と同様に、膨れた紙パック４の後端部が排気口９に集中して密着してしまい、紙パック４の後端面が閉塞して吸込性能が低下する虞がある。
【００５５】
この問題を解決する手段として、図１８及び図１９に示すように別部品として縦横のリブの高さが異なる格子を有する格子部３３を排気口９に着脱自在に装着することにより、紙パック４の後端部と格子部３３との間に隙間を形成すると共に、排気流路を確保して紙パック４の後端面の閉塞を防止する方法が考えられる。
【００５６】
しかしながら、この方法は、塵埃が充填されて膨れた紙パック４を集塵室３から取り出
す際に、格子部３３も一緒に外れてしまうことがあり、紙パック４を交換する度に格子部３３を装着し直す必要がある。また、格子部３３を排気口９に固着してしまうと、塵埃が充填されて膨れた紙パック４は格子部３３に圧接しているため、紙パック４の取り外しが困難になったり、紙パック４が破損する虞がある。
【００５７】
そこで、第３実施形態では、図２０に示すように縦横のリブの高さが異なる格子（第３実施形態では横リブの方が高い格子）を有する格子部３３ａを紙パックホルダー５の底壁１１の後端部に回動自在に装着している。この構成により、格子部３３ａを底壁１１と略平行にした状態で紙パック４を紙パックホルダー５に装着し、この状態で紙パックホルダー５を集塵室３内に挿入すると、格子部３３ａが集塵室３の内壁に当接して上方に回動して所定の位置に配設される。この結果、紙パックホルダー５を集塵室３内に装着するだけで格子部３３ａを所定の位置に配設することができ、設置作業性を向上させることができる。また、紙パック４の後端部と格子部３３ａとの間に隙間を形成することができると共に、排気流路を確保することができるため、紙パック４の後端部の閉塞を防止することができ、吸込性能の低下を防止することができると共に、紙パック４の長寿命化を図ることができる（図２１参照）。
【００５８】
塵埃が充填されて膨れた紙パック４を集塵室３から取り出す際には、紙パックホルダー５の取っ手１４を持って引き出すと格子部３３ａも一緒に引き出され（図２２参照）、格子部３３ａを底壁１１と略平行になるように回動させると、紙パック４を容易に廃棄することができる（図２３参照）。
【００５９】
第３実施形態では、格子部３３ａを別体に形成し、格子部３３ａを底壁１１に回動自在に装着したがこれに限定されるものではない。格子部３３ａを通常状態で格子部３３ａが底壁１１と略平行となるように紙パックホルダー５と一体に形成すると共に、格子部３３ａと底壁１１との間を薄肉に形成し格子部３３ａを回動自在にする構成してもよい。この結果、紙パックホルダー５を集塵室３から取り出した際、集塵室３内の側壁に沿って上方に回動していた格子部３３ａが、底壁１１に略平行状態になるように自動的に水平方向に回動するため、紙パック４をより容易に廃棄することができる。
【００６０】
尚、第３実施形態では、格子部３３ａは、横リブの方が縦リブより高い格子により構成したが、縦リブの方が横リブより高い格子により格子部３３ａを構成しても、第３実施形態と同様な作用効果を奏する。また、格子部３３ａの縦および横のリブを電動送風機２の図示しない吸気孔に向けて傾斜させてもよい。この結果、電動送風機２の吸込効率を向上させることができる。
【００６１】
また、第３実施形態では、格子部３３は縦横のリブで構成したが、これに限定されるものではない。格子部３３を同心円状のリブと円の中心から放射状に延びるリブにより構成してもよい。
【００６２】
（第４実施形態）
図２４乃至図２８は、本発明に係る電気掃除機の第４実施形態を示している。尚、第１実施形態乃至第３実施形態と同一部品については、同一符号を付して説明を省略する。
【００６３】
第１実施形態では、紙パックホルダー５の取っ手１４に紙パック抑えリブ２０を設けることにより、紙パック４に直接手が触れるのを防止して、手が不衛生になるのを防止すると共に、紙パックホルダー５の引き出しや運搬の作業性を向上させた。
【００６４】
しかしながら、取っ手１４は、手を挿入させるためにある程度の幅を必要とするため、取っ手１４の中央部においては、取っ手１４の両側に紙パック抑えリブ２０を形成してい
るにも関わらず、図２４及び図２５の点線に示すように取っ手１４に接触するまで紙パック４が膨れる虞がある。これを防止するために、取っ手１４の略中央に紙パック抑えリブ２０を追加形成すればよいが、取っ手１４の略中央に形成した紙パック抑えリブ２０が障害になって、取っ手１４を握ることができなくなってしまう。
【００６５】
そこで、第４実施形態では、紙パックホルダー５の上方に位置する蓋体７に装着された部品収納部３４から下方に向けて抑えリブ３５を形成している。部品収納部３４内には集塵室３内の空気を脱臭する光触媒３６が収納されている（図２４参照）。また、図２５に示すようにこの抑えリブ３５は紙パックホルダー５の取っ手１４の略中央に位置している。この構成により、図２４及び図２５の実線で示すように取っ手１４の中央においても抑えリブ３５により紙パック４が取っ手１４に接触するまで膨れるのを防止することができる。図２４及び図２５において抑えリブ３５がない場合は、点線で示すように紙パック４は取っ手１４に接触する。
【００６６】
この結果、取っ手１４に接触するまで紙パック４が膨れるのを確実に防止することができるため、紙パック４に直接手が触れるのを防止して、手が不衛生になるのを確実に防止できると共に、紙パックホルダー５の引き出しや運搬の作業性を向上させることができる。紙パックホルダー５を集塵室３から取り出す際には、図２６に示すように取っ手１４の略中央に位置する抑えリブ３５が蓋体７の開放と共に上方へ回動するため、紙パックホルダー５の取っ手１４の操作性に問題が生じることはない。
【００６７】
集塵室３内を脱臭する光触媒３６は、紫外線が照射されることにより脱臭機能を発揮するため、より多くの紫外線を光触媒３６に照射させるために蓋体７を略透明に形成してもよい。この結果、集塵室３内の脱臭性能を向上させることができる。また、蓋体７を略透明に形成することにより、集塵室３内を目視することができるため、図２８に示すように紙パック４の折込部分に文字３７（第４実施形態では「交換」）を印刷すると、紙パック４内に塵埃が堆積して紙パック４が膨れた状態になると折込部分が開いて印刷されていた文字３７が見えるようになる。この文字３７は、略透明な蓋体７を介して外観から容易に確認することができるため、蓋体７を開けることなく紙パック４の膨らみ状態を容易に視認することができ、交換時期が来る前に予備の紙パック４を準備することができる。
【００６８】
尚、第４実施形態では、光触媒３６を収納する部品収納部３４から形成された抑えリブ３５により、取っ手１４の略中央において紙パック４が取っ手１４に接触するまで膨れるのを防止したが、部品収納部３４に収納されるものは光触媒３６に限定されるものではない。紙パック４の集塵メータ等の他の部品を収納する部品収納部３４に抑えリブ３５を形成してもよい。
【図面の簡単な説明】
【００６９】
【図１】本発明の第１実施形態の電気掃除機本体の側断面図で、紙パックホルダーを集塵室に装着する前の状態を示す。
【図２】同電気掃除機本体に装着される紙パックホルダーの斜視図である。
【図３】同電気掃除機本体の側面図で、紙パックホルダーを集塵室に装着した状態を示す。
【図４】同電気掃除機に装着される紙パックホルダーの側断面図である。
【図５】同電気掃除機に装着される紙パックホルダーの正面図である。
【図６】同電気掃除機本体の斜視図で、車輪を外した状態を示す。
【図７】同電気掃除機に装着される車輪の分解斜視図である。
【図８】同電気掃除機本体の縦断面図で、車輪の装着状態を示す。
【図９】同電気掃除機本体の側面図で、通常の状態を示す。
【図１０】同電気掃除機本体の側面図で、電気掃除機本体を傾斜させた状態を示す。
【図１１】同電気掃除機本体の縦断面図で、電気掃除機本体に装着される車輪の他の形態を示す。
【図１２】同電気掃除機本体に装着される他の形態の車輪の正面図である。
【図１３】同電気掃除機本体の縦断面図で、電気掃除機本体に装着される車輪のその他の形態を示す。
【図１４】同電気掃除機本体に装着されるその他の形態の車輪の正面図である。
【図１５】本発明の第２実施形態の電気掃除機本体に装着される紙パックホルダーの斜視図である。
【図１６】同電気掃除機本体の側面図で、紙パックホルダーを集塵室に装着した状態を示す。
【図１７】図１６におけるＡ−Ａ断面図である。
【図１８】本発明の第３実施形態の電気掃除機本体の側断面図で、格子部を集塵室に装着する前の状態を示す。
【図１９】同電気掃除機本体の側断面図で、格子部を集塵室に装着した状態を示す。
【図２０】同電気掃除機本体の側断面図で、格子部を備えた紙パックホルダーを集塵室に装着する前の状態を示す。
【図２１】同電気掃除機本体の側断面図で、格子部を備えた紙パックホルダーを集塵室に装着した状態を示す。
【図２２】同電気掃除機本体に装着される紙パックホルダーの側面図で、交換時期の紙パックを集塵室から取り出した状態を示す。
【図２３】同電気掃除機本体に装着される紙パックホルダーの側面図で、交換時期の紙パックを廃棄する状態を示す。
【図２４】本発明の第４実施形態の電気掃除機本体の側断面図で、抑えリブにより紙パックを抑えている状態を示す。
【図２５】同電気掃除機本体の縦断面図で、抑えリブにより紙パックを抑えている状態を示す。
【図２６】同電気掃除機本体の側断面図で、蓋体を開放した状態を示す。
【図２７】同電気掃除機本体の上断面図で、紙パックが膨らむ状態を示す。
【図２８】図２７におけるＡ矢視図で、紙パックに印刷された文字を示す。
【符号の説明】
【００７０】
１    掃除機本体
２    電動送風機
３    集塵室
４    紙パック
５    紙パックホルダー
１０  前壁
１１底壁
１５固定板
１９突出部
【図１】
2005152493.tif 000003
【図２】
2005152493.tif 000004
【図３】
2005152493.tif 000005
【図４】
2005152493.tif 000006
【図５】
2005152493.tif 000007
【図６】
2005152493.tif 000008
【図７】
2005152493.tif 000009
【図８】
2005152493.tif 000010
【図９】
2005152493.tif 000011
【図１０】
2005152493.tif 000012
【図１１】
2005152493.tif 000013
【図１２】
2005152493.tif 000014
【図１３】
2005152493.tif 000015
【図１４】
2005152493.tif 000016
【図１５】
2005152493.tif 000017
【図１６】
2005152493.tif 000018
【図１７】
2005152493.tif 000019
【図１８】
2005152493.tif 000020
【図１９】
2005152493.tif 000021
【図２０】
2005152493.tif 000022
【図２１】
2005152493.tif 000023
【図２２】
2005152493.tif 000024
【図２３】
2005152493.tif 000025
【図２４】
2005152493.tif 000026
【図２５】
2005152493.tif 000027
【図２６】
2005152493.tif 000028
【図２７】
2005152493.tif 000029
【図２８】
2005152493.tif 000030